(57)【要約】      （修正有）【課題】貼り替え防止機能を有し、剥がした後粘着性が残らない値札，値札シート、および、これら値札及び値札シートの使用方法を提供する。【解決手段】粘着剤層で商品に貼付される値札であって、粘着剤層１１５，第一の基材１１４，擬似接着剤層１１３，剥離剤層１１２，第二の基材１１１の順に積層され、商品の接着面と粘着剤層に形成された粘着剤の接着強度が、擬似接着剤層と剥離剤層の接着強度より大きくなるように設定され、第二の基材の表出面には値札情報が形成された値札、及びこれらの値札が複数形成された値札シートを提供する。【選択図】図２
2008052044.tif 000002
【特許請求の範囲】
【請求項１】
粘着剤層で商品に貼付される値札であって、
粘着剤層，第一の基材，擬似接着剤層，剥離剤層，第二の基材の順に積層され、
商品の接着面と粘着剤層に形成された粘着剤の接着強度が、擬似接着剤層と剥離剤層の接着強度より大きくなるように設定され、
第二の基材の表出面には値札情報が形成されたことを特徴とする値札。
【請求項２】
請求項１に記載の値札において、
剥離剤層の一端には、剥離強化部が形成されたことを特徴とする値札。
【請求項３】
請求項１に記載の値札において、
粘着剤層，第一の基材，擬似接着剤層には、値札を段違い状態で剥離するためのハーフカット部が形成されたことを特徴とする値札。
【請求項４】
剥離紙上に請求項１〜３何れか１項に記載の値札が形成された値札シートであって、
値札シートには複数の値札が等ピッチで形成され、
値札の周囲には、値札を剥離紙から剥ぎ取るためのハーフカット部が形成されていることを特徴とする値札シート。
【請求項５】
請求項４に記載の値札シートにおいて、
値札が剥ぎ取られた後の値札シートには、値札情報の一部が表示された値札控が形成されたことを特徴とする値札シート。
【請求項６】
請求項４に記載の値札シートにおいて、
値札シートには、値札を剥離紙から剥ぎ取るためのハーフカット部の一部を共有する直線状のハーフカットが形成されたことを特徴とする値札シート。
【請求項７】
請求項１〜６に記載の値札及び値札シートの使用方法であって、
値札シートから値札を粘着剤層で剥がし取るステップと、粘着剤層の粘着面で値札を商品に貼付するステップと、商品販売時に擬似接着剤層と剥離剤層の間で値札情報が表示された第二の基材を剥ぎ取るステップからなることを特徴とする値札及び値札シートの使用方法。
【発明の詳細な説明】
【技術分野】
【０００１】
本発明は、貼り替え防止機能を有し、剥がした後粘着性が残らない値札，値札シート、および、これら値札及び値札シートの使用方法に関する。
【背景技術】
【０００２】
商品に貼付される値札，プライスタグ（以下、値札という）には、粘着ラベル形式のものや、紐でタグを吊るしたものなどが一般的に使用されている。
とりわけ、物理的に孔が開けられない商品や、孔を開けると商品価値が低下するものに対しては粘着ラベル形式の値札が使用される。
これら、粘着ラベル形式の値札は、商品販売時にレジで剥ぎ取られ、売り上げ計上処理の為店舗に保管される。
値札を保管する際に値札の裏側が粘着部になっているためにベタついたり、値札同士が重なり合って貼り付き、集計時に間違いが生じやすく、また、保管が困難になるという問題が発生する。
また、顧客がＡ商品に貼られている値札を剥ぎ取り、Ａ商品より安いＢ商品の値札をＡ商品に貼付して清算するという不正も行われ、問題になっている。
【０００３】
一方、定価ラベルから値下げラベルを剥がす場合、綺麗に剥がれないことが多く、定価ラベルに値下げラベルを剥がした跡が残り、定価ラベルが汚れてしまう。また、値下げラベルを剥がす場合、定価ラベルを破らないように、注意深く行う必要があり、値下げラベルの取り外し作業に時間が掛かるという問題もあった。そこで、値下げ価格や特売情報を表示した値下げラベルを、定価ラベルに、糊や綴じ金を使用することなく取り付けることができるようにし、取り外した場合に、定価ラベルを元の綺麗な状態に戻すことができるようにした「値札ラベル」が提供されている（例えば、特許文献１参照）。
【０００４】
【特許文献１】特開２００２−１８２５６６号公報
【発明の開示】
【発明が解決しようとする課題】
【０００５】
そこで、本発明は貼り替え防止機能を有し、剥がした後粘着性が残らない値札，値札シート、および、これら値札及び値札シートの使用方法を提供することを目的とする。
【課題を解決するための手段】
【０００６】
前記課題の目的を達成するために、本発明の値札，値札シート、および、これら値札及び値札シートの使用方法の第一の態様は、粘着剤層で商品に貼付される値札であって、粘着剤層，第一の基材，擬似接着剤層，剥離剤層，第二の基材の順に積層され、商品の接着面と粘着剤層に形成された粘着剤の接着強度が、擬似接着剤層と剥離剤層の接着強度より大きくなるように設定され、第二の基材の表出面には値札情報が形成されたことを特徴とするものである。
【０００７】
また、第二の態様は、第一の態様において、剥離剤層の一端には、剥離強化部が形成されたことを特徴とするものである。
【０００８】
また、第三の態様は、第一の態様において、粘着剤層，第一の基材，擬似接着剤層には、値札を段違い状態で剥離するためのハーフカット部が形成されたことを特徴とするものである。
【０００９】
また、第四の態様は、剥離紙上に第一〜第三何れかの態様の値札が形成された値札シートであって、値札シートには複数の値札が等ピッチで形成され、値札の周囲には、値札を剥離紙から剥ぎ取るためのハーフカット部が形成されていることを特徴とするものである。
【００１０】
また、第五の態様は、第四の態様において、値札が剥ぎ取られた後の値札シートには、値札情報の一部が表示された値札控が形成されたことを特徴とするものである。
【００１１】
また、第六の態様は、第四の態様において、値札シートには、値札を剥離紙から剥ぎ取るためのハーフカット部の一部を共有する直線状のハーフカットが形成されたことを特徴とするものである。
【００１２】
また、第七の態様は、第一〜第六の態様の値札及び値札シートの使用方法であって、  値札シートから値札を粘着剤層で剥がし取るステップと、粘着剤層の粘着面で値札を商品に貼付するステップと、商品販売時に擬似接着剤層と剥離剤層の間で値札情報が表示された第二の基材を剥ぎ取るステップからなることを特徴とするものである。
【発明の効果】
【００１３】
１）本発明の値札，値札シート，値札及び値札シートの使用方法によって、値札を商品に貼付する際には、値札を値札シールから粘着剤層の部分で剥がし、そのまま商品に貼付することができる。
商品を購入者に渡すときは、値札情報が表示された第二の基材（以下、値札情報表示片という）を値札の擬似接着剤層と剥離剤層の間で剥ぎ取って渡すために、販売した商品には値札が残らない。
また、売り上げ処理を行う場合に、値札情報表示片を複数枚重ねてもそれぞれが貼り付かず、集計処理の効率が向上し、保管が楽になる。
２）また、擬似接着剤層と剥離剤層の間に剥離強化部を設けたり、段差を設けることによって、剥がされるべき正しい位置で値札情報表示片を剥がすことができる。
３）一方、値札シートには、値札を剥離紙から剥ぎ取るためのハーフカット部の一部を共有する直線状のハーフカットが形成されたことによって、値札シートから値札を剥がしとる作業が楽になり剥がしミスをなくすることができる。
また、値札が剥ぎ取られた後の値札シートには、値札情報の一部が表示された値札控が形成されたことによって、値札が剥ぎ取られた値札シートと前述の売り上げた値札情報表示片とを照合すれば店舗の在庫を管理することができる。
４）また、不正を行おうとする者が、ある商品から値札を剥ぎ取って別の商品に貼付けようとしても、値札の擬似接着剤層と剥離剤層の間で剥がれてしまうため、値札を貼り替えることができない。
【発明を実施するための最良の形態】
【００１４】
以下、図面を参照して本発明の値札，値札シート，値札及び値札シートの使用方法、について説明する。
図１は、本発明の値札及び値札シートの一例について説明するための図，図２は、図１のＡ−Ａ線断面の一例について説明するための図，図３は、図１のＡ−Ａ線断面の他の一例について説明するための図，図４は、図３で説明した値札を値札シートから剥ぎ取った後の値札シート及び値札の状態について説明するための図，図５は、図２で説明した値札を値札シートから剥ぎ取る手順について説明するための図，図６は、図２で説明した値札の使用方法の一例について説明するための図，である。
【００１５】
図１を参照して、本発明の値札及び値札シートの一例について説明する。
図に示すように、値札シート１００には複数の値札１が形成され、値札の周囲には、値札を剥離紙から剥ぎ取るためのハーフカット部４が形成される。多くの場合、値札の値札情報１１がプリンタなどに印刷されるために、値札１は、当ピッチで面付けされる。
また、値札の周辺には、値札情報の一部である控情報２１が表示された値札控２が形成される。
また、値札１を剥離紙（図示せず）から剥ぎ取るための直線状のハーフカット４１が形成され、このハーフカット４１は、規則的に面付けされた値札のハーフカット部４の一部を共有する状態で形成される。
値札１を値札シート１００から剥ぎ取る場合は、値札シート１００をハーフカット４１の部分で外側に湾曲させ、値札のエッジを浮き上がらせて剥がす。
また、値札の片側（図の左側）の擬似接着剤層と剥離剤層の間には、剥離強化部１２１や、段差を形成するためのハーフカット（図示せず）が形成される。
【００１６】
値札１には、商品名「ビジネスシューズ  Ｚ」，販売価格「１５，０００円」，レジで光学読取り処理されるための「バーコード」がプリントされている。
また、値札控２の値札１の左上に、値札情報の一部、「ビジネスシューズ  Ｚ」，「１５，０００円」が控情報２１としてプリントされている。
これら、控情報２１は、値札１が剥ぎ取られた後に値札シート１００に残される。
店舗のシステムによっては、値札控２は利用されない場合があるために、値札控２の部分の控情報２１はプリントされなくてもよい。
図示しないが、値札シートには図柄や、文字，記号などが印刷される場合もある。
【００１７】
図２を参照して、図１のＡ−Ａ線断面の一例について説明する。
値札シート１００は、図に示すように、第二の基材１１１，剥離剤層１１２，擬似接着剤層１１３，第一の基材１１４，粘着剤層１１５，剥離紙３が積層された状態になっている。
第二の基材１１１の表面には値札情報１１がプリントされ、印刷による文字や図柄による印刷インキが形成されている場合もある。
値札シート１００の値札１と値札控２の境界には、ハーフカット４，４１が第二の基材１１１，剥離剤層１１２，擬似接着剤層１１３，第一の基材１１４，粘着剤層１１５を貫通する状態で形成されている。
また、図２に示す例では、擬似接着剤層１１３には、ハーフカット４（図の左側）と交差する近傍に剥離強化部１２１が形成されている。
この剥離強化部１２１は、剥離剤層１１２の剥離材と擬似接着剤層１１３の擬似接着剤の接着強度によって設けたり、省略したりすることができる。
【００１８】
図３を参照して、図１のＡ−Ａ線断面の他の一例について説明する。
値札シート１００は、図２で説明したと同様、第二の基材１１１，剥離剤層（図示せず），擬似接着剤層（図示せず），第一の基材１１４，粘着剤層（図示せず），剥離紙３が積層された状態になっている。
第二の基材１１１の表面には値札情報（図示せず）がプリントされ、印刷による文字や図柄による印刷インキが形成されている場合もある。
値札シート１００の値札１と値札控２の境界には、ハーフカット４，４１が第二の基材１１１以下、第一の基材１１４，粘着剤（図示せず）を貫通する状態で形成されている。
また、第二の基材１１１，剥離剤層（図示せず）の下側の一部にハーフカット４０が形成されている。
このハーフカットは、剥離剤層１１２の剥離材と擬似接着剤層１１３の擬似接着剤の接着強度によって設けたり、省略したりすることができる。
【００１９】
値札１を図３の右側に形成されているハーフカット４，４１の部分で、値札シート１００から剥ぎ取った場合、値札は段違いで剥離する部分１０を剥離紙３に残して、ハーフカット部４０で段違い状態となって剥離紙３から剥ぎ取られる。
【００２０】
図４を参照して、図３で説明した値札を値札シートから剥ぎ取った後の値札シート及び値札の状態について説明する。
ａ図は、図３で説明した値札１の一部が剥ぎ取られた値札シート１００の状態を示している。また、ｂ図は、剥ぎ取られた値札１の断面を示している。
値札1は、図３で説明したように、ａ図に示すハーフカット４０で剥がされるためにｂ図に示すように剥離剤層１１２と、擬似接着剤層１１３の間で段違い状態になっている。
従って、ａ図に示すように、段違いで剥離する部分１０が値札シート１００の剥離紙３上に残された状態になる。
段違いで剥離する部分１０の表出面は、擬似接着剤層１１３の表面が露出した状態になっている。
【００２１】
図５を参照して、図２で説明した値札を値札シートから剥ぎ取る手順について説明する。
図５のｃ図は、図２を簡略化した図である。
ｃ図の値札シート１００を値札情報プリント部（図示せず）を上にして湾曲させると、値札１は、剥離紙３からハーフカット部４１（図示せず）で剥がれ始める。
値札１の右端を上に持ち上げて剥離紙３から剥がすと、ｄ図の値札シート１００と、ｅ図の値札１に分かれる。ｄ図の値札シート１００には値札控２が残される。
【００２２】
図６を参照して、図２で説明した値札の使用方法の一例について説明する。
先ず、値札シート（図示せず）から値札１を粘着剤層１１５で剥がし取り、ｆ図の断面図に示すように、粘着剤層１１５の粘着面で商品５に貼付する。
商品販売時に、擬似接着剤層１１３と剥離剤層１１２の間に形成された剥離強化部１２１で、値札情報１１が表示された値札情報表示片（第二の基材１１１と、剥離剤層１１２）を剥ぎ取る。
ｇ図に示す断面は、剥ぎ取られた値札情報表示片の断面である。
その結果、ｈ図に示すように、商品５には、第一の基材１１４が擬似接着剤層１１３と粘着剤層１１５を伴って残される。
【００２３】
（材料）
図２を一部参照して、本発明の値札、および、値札シートに使用される材料について説明する。
第一の基材１１４としては、ポリエチレンテレフタレート，ポリエチレン，ポリ塩化ビニル，ポリプロピレン，ポリカーボネイト，トリアセテートなどのプラスチックフィルム、または、上質紙，コート紙，グラシン紙等の紙などから選択されて使用される。
第二の基材１１１としては、上質紙，コート紙，グラシン紙等の紙などから選択されて使用される。
また、剥離剤１１２、剥離強化部に使用する剥離強化材料としては、例えば、紫外線硬化型インキのメジウム（ＵＶインキ）にシリコーンオイルを添加したものや、シリコーンアクリレートを添加したもの、等を使用する。
前記ＵＶインキ以外に、通常の白金触媒を利用する熱硬化型剥離インキを使用してもよい。
また、擬似接着剤１１３としては、オレフィン樹脂／非オレフィン樹脂を共押し出しによって積層した構造，ゴム系接着主剤中に微粒子を添加した擬似接着剤等、各種公知の擬似接着構造を使用する。
粘着剤，剥離紙は、市販の粘着剤，剥離紙を使用する。
また、図２に示す「第一の基材１１４＋粘着剤１１５＋剥離紙３」の積層部を市販の粘着紙で代替させてもよい。
【００２４】
材料の選択及び処方で重要なことは、「粘着剤層１１５と剥離紙３の接着強度、および、粘着剤層１１５と商品接着面の接着強度」が、「擬似接着剤層１１３と剥離剤層１１２間の接着強度」より「大」となるよう選択、処方を行うことである。
更に、上記「粘着剤層１１５と剥離紙３の接着強度、および、粘着剤層１１５と商品接着面の接着強度」が、「擬似接着剤層１１３と剥離剤層１１２間の接着強度」より「大」であることは、経時的な要素、温湿度などの保管環境要素を加味した状態で保証されなければならない。
【産業上の利用可能性】
【００２５】
紐で吊るすことができない値札分野で利用できる。
【図面の簡単な説明】
【００２６】
【図１】本発明の値札及び値札シートの一例について説明するための図である。
【図２】図１のＡ−Ａ線断面の一例について説明するための図である。
【図３】図１のＡ−Ａ線断面の他の一例について説明するための図である。
【図４】図３で説明した値札を値札シートから剥ぎ取った後の値札シート及び値札の状態について説明するための図である。
【図５】図２で説明した値札を値札シートから剥ぎ取る手順について説明するための図である。
【図６】図２で説明した値札の使用方法の一例について説明するための図である。
【符号の説明】
【００２７】
１      値札
２      値札控
３      剥離紙
４，４０，４１  ハーフカット部
５      商品
１０    段違いで剥離する部分
１１    値札情報
２１    控情報
１００  値札シート
１１１  第二の基材
１１２  剥離剤層
１１３  擬似接着剤層
１１４  第一の基材
１１５  粘着剤層
１２１  剥離強化部
【図１】
2008052044.tif 000003
【図２】
2008052044.tif 000004
【図３】
2008052044.tif 000005
【図４】
2008052044.tif 000006
【図５】
2008052044.tif 000007
【図６】
2008052044.tif 000008